(57)【要約】【課題】外部のインターフェイススイッチ制御を用いないで経路切り替え制御可能とし、インターフェイススイッチ構成の簡素化を図れる集合型シャーシシステムを提供する。【解決手段】自拠点側ローカルネットワークのスイッチと他拠点側のメディアコンバータのそれぞれと接続される複数のカード型メディアコンバータ（コンバータ部と伝送処理部を有する）と、複数のカード型メディアコンバータ（主経路用と副経路用）をシャーシ内通信経路にて管理する管理カードとを集合配置する集合型シャーシを備えた集合型シャーシシステムであって、前記管理カードは、主経路を構成するメディアコンバータの信号の伝送処理に障害が発生したかを判断し、判断結果が主経路の伝送処理に障害が発生したとの判断結果である場合には、副経路を構成するメディアコンバータを稼働する。【選択図】図１
2020167541.tif 000002
【特許請求の範囲】
【請求項１】
自拠点側ローカルネットワークと外部伝送線のインターフェイスとなるスイッチにそれぞれが接続されるとともに、それぞれが信号を伝送しあう他拠点側のメディアコンバータのそれぞれと接続される複数のカード型メディアコンバータと、複数のカード型メディアコンバータをシャーシ内通信経路にて直接的に一括管理する管理カードとを集合配置する集合型シャーシを備えた集合型シャーシシステムであって、
複数のカード型メディアコンバータの少なくとも一はコンバータ部と伝送処理部とを有するとともに、障害が発生しない場合に伝送処理部により伝送処理が稼働される主経路を構成するメディアコンバータであり、
複数のカード型メディアコンバータの少なくとも他の一はコンバータ部と伝送処理部とを有し、障害が発生しない場合には伝送処理部又は／及びコンバータ部による伝送処理が稼働しない副経路を構成するメディアコンバータであり、
前記管理カードは、前記主経路を構成するメディアコンバータの信号の伝送処理（受信と送信の両者を含む）に障害が発生したか判断する障害判断部と、
障害判断部での判断結果が主経路の伝送処理に障害が発生したとの判断結果である場合には、副経路を構成するメディアコンバータを稼働する副経路メディアコンバータ稼働部と、
を有する集合型シャーシシステム。
【請求項２】
前記管理カードは、障害判断部での判断結果が主経路の伝送処理に障害が発生したとの判断結果である場合には、主経路を構成するメディアコンバータの伝送処理部の伝送処理に関する稼働を停止する主経路メディアコンバータ稼働停止部をさらに有する請求項１に記載の集合型シャーシシステム。
【請求項３】
前記管理カードは、障害判断部での判断結果が主経路の伝送処理に障害が発生したとの判断結果である場合には、主経路を構成するメディアコンバータのスイッチ側コンバータ部の伝送処理に関する稼働を停止するスイッチ側コンバータ部稼働停止部をさらに有する請求項１又は請求項２に記載の集合型シャーシシステム。
【請求項４】
前記管理カードは、障害判断部での判断結果が主経路の伝送処理に障害が発生したとの判断結果である場合には、主経路を構成するメディアコンバータの他拠点側コンバータ部の稼働を停止する主経路メディアコンバータ他拠点側コンバータ部稼働停止部をさらに有する請求項１から請求項３のいずれか一に記載の集合型シャーシシステム。
【請求項５】
前記カード型メディアコンバータは、光メディアコンバータである請求項１から請求項４のいずれか一に記載の集合型シャーシシステム。
【請求項６】
集合型シャーシの前記シャーシ内通信経路は、バス線を有し、
前記カード型メディアコンバータは、集合型シャーシに装着されることでバス線に信号送受信可能に接続されるメディアコンバータバス接続部を有する請求項１から請求項５のいずれか一に記載の集合型シャーシシステム。
【請求項７】
前記管理カードは、集合型シャーシに装着されることでバス線に信号送受信可能に接続される管理カードバス接続部を有する請求項１から請求項６のいずれか一に記載の集合型シャーシシステム。
【請求項８】
請求項１から請求項７のいずれか一に記載の集合型シャーシシステムと、
このシャーシシステムに集合配置されたカード型メディアコンバータと信号のやり取りをするスイッチであって、
カード型メディアコンバータから信号を取得する信号取得部と、
成功した通信のスイッチングに基づいてアドレスとスイッチングを自動学習する自動学習部と、
自動学習部での自動学習に基づくアドレスに応じたスイッチング制御部と、
スイッチング制御部にて制御されるスイッチング部と
スイッチング部からの信号を出力する信号出力部と、
を有するスイッチと、
少なくとも主経路を構成するメディアコンバータ間及びメディアコンバータとスイッチ間の伝送線と、副経路を構成するメディアコンバータ間及びメディアコンバータとスイッチ間の伝送線と、からなる通信システム。
【請求項９】
同一のスイッチに接続されるメディアコンバータの伝送処理部は、
相互に伝送元スイッチを区別せずに取得した信号を伝送先スイッチに伝送する共有手段を有する請求項８に記載の通信システム。
【請求項１０】
前記スイッチはイーサネット（登録商標）機器であり、これと、これに接続されているカード型メディアコンバータとは、イーサネット（登録商標）で規定されるリンク確立方式にて通信路を確立するリンク確立部を有する請求項８又は請求項９に記載の通信システム。
【請求項１１】
自拠点側ローカルネットワークと外部伝送線のインターフェイスとなるスイッチにそれぞれが接続されるとともに、それぞれが信号を伝送しあう他拠点側のメディアコンバータのそれぞれと接続される少なくとも主経路用と主経路に障害が発生した場合に利用される副経路用を含む複数のカード型のメディアコンバータと、複数のカード型メディアコンバータをシャーシ内通信経路にて直接的に一括管理する管理カードとを集合配置する集合型シャーシを備えた集合型シャーシシステムの動作方法であって、
前記管理カードの動作は、前記主経路を構成するカード型メディアコンバータの信号の伝送処理（受信と送信の両者を含む）に障害が発生したか判断する障害判断ステップと、
障害判断ステップでの判断結果が主経路の伝送処理に障害が発生したとの判断結果である場合には、副経路を構成するメディアコンバータを稼働する副経路メディアコンバータ稼働ステップと、
を有する集合型シャーシシステムの動作方法。
【請求項１２】
前記管理カードの動作は、障害判断部での判断結果が主経路の伝送処理に障害が発生したとの判断結果である場合には、主経路を構成するメディアコンバータの伝送処理部の伝送処理に関する稼働を停止する主経路メディアコンバータ稼働停止ステップをさらに有する請求項１１に記載の集合型シャーシシステムの動作方法。
【請求項１３】
前記管理カードの動作は、障害判断部での判断結果が主経路の伝送処理に障害が発生したとの判断結果である場合には、主経路を構成するメディアコンバータのスイッチ側コンバータ部の伝送処理に関する稼働を停止するスイッチ側コンバータ部稼働停止ステップをさらに有する請求項１１又は請求項１２に記載の集合型シャーシシステムの動作方法。
【請求項１４】
前記管理カードの動作は、障害判断部での判断結果が主経路の伝送処理に障害が発生したとの判断結果である場合には、主経路を構成するメディアコンバータの他拠点側コンバータ部の稼働を停止する主経路メディアコンバータ他拠点側コンバータ部稼働停止ステップをさらに有する請求項１１から請求項１３のいずれか一に記載の集合型シャーシシステムの動作方法。
【請求項１５】
自拠点側ローカルネットワークと外部伝送線のインターフェイスとなるスイッチにそれぞれが接続されるとともに、それぞれが信号を伝送しあう他拠点側のメディアコンバータのそれぞれと接続される少なくとも主経路用と主経路に障害が発生した場合に利用される副経路用を含む複数のカード型のメディアコンバータと、複数のカード型メディアコンバータをシャーシ内通信経路にて直接的に一括管理する管理カードとを集合配置する集合型シャーシを備えた計算機である集合型シャーシシステムの動作プログラムであって、
前記管理カードの動作プログラムは、前記主経路を構成するカード型メディアコンバータの信号の伝送処理（受信と送信の両者を含む）に障害が発生したか判断する障害判断ステップと、
障害判断ステップでの判断結果が主経路の伝送処理に障害が発生したとの判断結果である場合には、副経路を構成するメディアコンバータを稼働する副経路メディアコンバータ稼働ステップと、
を有する計算機である集合型シャーシシステムに読取り実行可能な動作プログラム。
【請求項１６】
前記管理カードの動作プログラムは、障害判断部での判断結果が主経路の伝送処理に障害が発生したとの判断結果である場合には、主経路を構成するメディアコンバータの伝送処理部の伝送処理に関する稼働を停止する主経路メディアコンバータ稼働停止ステップをさらに有する請求項１５に記載の計算機である集合型シャーシシステムに読取り実行可能な動作プログラム。
【請求項１７】
前記管理カードの動作プログラムは、障害判断部での判断結果が主経路の伝送処理に障害が発生したとの判断結果である場合には、主経路を構成するメディアコンバータのスイッチ側コンバータ部の伝送処理に関する稼働を停止するスイッチ側コンバータ部稼働停止ステップをさらに有する請求項１５又は請求項１６に記載の計算機である集合型シャーシシステムに読取り実行可能な動作プログラム。
【請求項１８】
前記管理カードの動作プログラムは、障害判断部での判断結果が主経路の伝送処理に障害が発生したとの判断結果である場合には、主経路を構成するメディアコンバータの他拠点側コンバータ部の稼働を停止する主経路メディアコンバータ他拠点側コンバータ部稼働停止ステップをさらに有する請求項１５〜請求項１７のいずれか一に記載の計算機である集合型シャーシシステムに読取り実行可能な動作プログラム。
【発明の詳細な説明】
【技術分野】
【０００１】
本発明は、集合型シャーシシステムに関し、特に複数のカード型メディアコンバータを内蔵した集合型シャーシを用いて伝送システムにおける主経路と副経路の経路切り替え制御を行うのに好適な集合型シャーシシステムに関する。
【背景技術】
【０００２】
従来、自拠点と他拠点との間でデータ伝送を行うのに、集合型シャーシに複数のカード型メディアコンバータを内蔵した集合型シャーシシステムを自拠点側と他拠点側に設置し、自拠点と他拠点との障害対策として冗長システム構成を採用したものが知られている。
【０００３】
例えば、カード型メディアコンバータとして光メディアコンバータを用い、集合型シャーシに複数のカード型光メディアコンバータを内蔵させた集合型シャーシシステムを自拠点側と他拠点側にそれぞれ設置して冗長システムを構成し、自拠点と他拠点のネットワークを伝送線で接続し、伝送線はカード型光メディアコンバータ毎に設けられ、それぞれ主経路と副経路として用いられる。
【０００４】
このような冗長システムにおいて、自拠点側または他拠点側と集合型シャーシステムとの間にそれぞれイーサネット（登録商標）スイッチ（例えば、Ｌ２スイッチ）が設けられ、冗長システムの主経路と副経路の切替えを各イーサネット（登録商標）スイッチの切替え機能により、実現していた。この冗長構成を実現するには、接続機器である集合型シャーシシステム内のカード型メディアコンバータに光回線障害をイーサネット（登録商標）スイッチに伝える機構（例えば、リンクフォルトパススルー機能）を追加し、さらにイーサネット（登録商標）スイッチに切替制御機能を備える必要があり、イーサネット（登録商標）スイッチのコスト高を招き、経路切替え機能がないダムスイッチは冗長システムに採用できなかった。
【先行技術文献】
【特許文献】
【０００５】
【特許文献１】特開２００６−３５２５４４号公報
【発明の概要】
【発明が解決しようとする課題】
【０００６】
従来、自拠点と他拠点との間に、自拠点側Ｌ２スイッチ（ＳＷ）と自拠点側集合型シャーシ内蔵光メディアコンバータ（ＭＣ（主）とＭＣ（副））（主経路用と副経路用）、他拠点側Ｌ２スイッチと他拠点側集合型シャーシ内蔵光メディアコンバータ（ＭＣ（主）、ＭＣ（副））（主経路用と副経路用）とを設置し、少なくとも主経路と副経路とを冗長構成してネットワーク接続された伝送システムにおいて、図２０に示すように、以下のような経路切替制御を行っている。
【０００７】
（ステップ１）自拠点と他拠点を接続するＬ２スイッチ（ＳＷ）またはＭＣ（主）はオートネゴシエーション機能によりそれぞれリンクを確立する。同様に、Ｌ２スイッチ（ＳＷ）またはＭＣ（副）はオートネゴシエーション機能により、それぞれリンクを確立する。このとき、両自他拠点のＬ２スイッチはスパニングツリーによって、両自他拠点のＬ２スイッチ同士で主経路の接続が完備されているかを確認する。以上により両自他拠点のＳＷ間で主経路接続が達成され、主経路が確立する。ここで、副経路のメディアコンバータは常時稼働・リンク確立状態であるが、インターフェイススイッチのスイッチング制御部が副経路のメディアコンバータへの出力を止めているので、データが届かない状態となっている。
【０００８】
（ステップ２）主経路の両自他拠点のＭＣ（主）は、光経路で回線障害が発生した場合、信号断によってイーサネット（登録商標）規定のリンク確立条件を満たさなくなった（規定の通信プロトコルが得られなくなった）ので、ＭＣ（主）の光ポートをリンクダウンに遷移する。ここで、両自他拠点のＭＣ（主）のＳＷ側ポートは稼働・リンク確立状態になっており、光ポートは稼働・リンク未確立状態になっている。また、両自他拠点のＭＣ（副）のＳＷ側ポートおよび光ポートは稼働・リンク確立状態になっている。しかし、インターフェイススイッチのスイッチング制御部が副経路のメディアコンバータへの出力を止めているので、データは流れていない状態である。
【０００９】
（ステップ３）両自他拠点のＭＣ（主）は、ＭＣ（主）の光ポートがリンクダウン時に、切替処理としてＭＣ（主）のリンクフォルトパススルー機能によりＭＣ（主）のＳＷ側ポートを遮断する。
【００１０】
（ステップ４）両自他拠点のＬ２スイッチ（ＳＷ）は接続先ＭＣ（主）のＳＷ側ポート遮断により、イーサネット（登録商標）規定のリンク確立条件を満たさなくなった（信号がこない）ので、ＭＣ（主）側の主経路ポートをリンクダウンに遷移する。ここで、ＳＷの主経路側のポートは稼働・リンク未確立状態となっている。
【００１１】
（ステップ５）両自他拠点のＬ２スイッチの信号取得部は主経路のリンクダウンを検出し、それによってスイッチング制御部が主経路への転送を遮断し（主経路への信号出力を停止し）、副経路への転送遮断を解除し（副経路への信号出力を稼働し）、切替処理を行う。この切替処理により、ネットワーク検出が行われ、副経路のＭＣ（副）が非導通状態から導通状態に変更される。
【００１２】
（ステップ６）自拠点と他拠点を接続するＬ２スイッチ（ＳＷ）は、両自他拠点間の副経路の接続が完備されているかをスパニングツリーによって確認する。以上により両自他拠点のＳＷ間で副経路接続が達成され、副経路に切り替わる。
【００１３】
ここでは、Ｌ２スイッチの経路切替にスパニングツリーを取り扱っているが、リンクアグリゲーションによって経路切替を実施することもある。その場合は、ＭＣ（主）・ＭＣ（副）のいずれもが常にリンク確立をしながら導通した状態を維持し、障害発生時には前述同様にＭＣ（主）がＳＷ側ポートを遮断し、Ｌ２スイッチが主経路のリンクダウンを検出することで主経路の転送を遮断する。
【００１４】
Ｌ２スイッチがスパニングツリーを用いている場合、主経路の回線復旧時にはＬ２スイッチは再度ネットワークの検出を行い、接続経路を選択する。切替にはネットワークの帯域を用いる。Ｌ２スイッチがリンクアグリゲーションを用いている場合、主経路の回線復旧時にはＬ２スイッチは何も行わない。現行の経路を主経路、復旧した経路を副経路として扱い、稼働中の回線に影響せずに冗長性を確保する。経路接続中は常にネットワークの帯域を用いて監視を行う。
【００１５】
上記のように、従来の方式では、Ｌ２スイッチが切替制御を行っている。いずれかの経路は待機状態または一方通行であるように制御する必要があり、ダムＳＷのような単純な機器ではこのような冗長構成は組めないという問題があった。
【００１６】
また、ＭＣが光回線障害をＳＷに伝えるリンクフォルトパススルー機構が必要となる。このとき、接続構成時や光回線障害復帰時に、（手順1）光ポートの接続確立により、ＳＷ側ポートの遮断解除、（手順2）ＳＷとリンク確立する前に、リンクフォルトパススルー機能が作動し、光ポートの遮断、（手順3）ＳＷとの接続確立により、光ポートの遮断解除、（手順4）光ポートの接続が確立する前に、リンクフォルトパススルー機能が作動し、ＳＷ側ポートの遮断、（手順5）以上の手順を反復するか、または、（手順4）光ポートの接続が確立する前に、ＳＷが経路選択を開始し、経路が見つからないといった、いくつかの連携不全のおそれがある。リンクフォルトパススルーの遮断もしくは遮断解除のタイムラグ、経路選択のタイムラグはメーカー固有・帯域依存のものであり、こういった事象の発生がないように現地（実地）にて機器同士の連携を事前に確認する必要がある。
【００１７】
上記のように原則的に拠点内通信プロトコル（例えばイーサネット（登録商標））で制御される、インターフェイスＬ２スイッチ（ＳＷ）によりメディアコンバータの切替えを行う場合には、スイッチに対して固有の動作命令設定を組み込んで、対応するメディアコンバータがさらに自身に対して稼働・停止を制御する必要があった。これは、拠点内インターフェイススイッチの構成を複雑化し、さらに、メディアコンバータとの相性を光伝送路の設置後試験において十分に検証しなければならなかった。
【００１８】
本発明は、上記した従来の課題を解決するために成されたものであり、外部のインターフェイススイッチ制御を用いないで経路切り替え制御可能とし、拠点内インターフェイススイッチ構成の簡素化を図れる集合型シャーシシステム及び通信システムを提供することを目的としている。
【課題を解決するための手段】
【００１９】
上記課題を解決するために、本発明は、以下の集合型シャーシシステムを提供する。
【００２０】
すなわち、本発明における第１の発明は、自拠点側ローカルネットワークと外部伝送線のインターフェイスとなるスイッチにそれぞれが接続されるとともに、それぞれが信号を伝送しあう他拠点側のメディアコンバータのそれぞれと接続される複数のカード型メディアコンバータと、複数のカード型メディアコンバータをシャーシ内通信経路にて直接的に一括管理する管理カードとを集合配置する集合型シャーシを備えた集合型シャーシシステムであって、複数のカード型メディアコンバータの少なくとも一はコンバータ部と伝送処理部とを有するとともに、障害が発生しない場合に伝送処理部により伝送処理が稼働される主経路を構成するメディアコンバータであり、複数のカード型メディアコンバータの少なくとも他の一はコンバータ部と伝送処理部とを有し、障害が発生しない場合には伝送処理部又は／及びコンバータ部による伝送処理が稼働しない副経路を構成するメディアコンバータであり、前記管理カードは、前記主経路を構成するメディアコンバータの信号の伝送処理（受信と送信の両者を含む）に障害が発生したか判断する障害判断部と、障害判断部での判断結果が主経路の伝送処理に障害が発生したとの判断結果である場合には、副経路を構成するメディアコンバータを稼働する副経路メディアコンバータ稼働部と、を有する（請求項１対応）。
【００２１】
前記構成に加え、前記管理カードは、障害判断部での判断結果が主経路の伝送処理に障害が発生したとの判断結果である場合には、主経路を構成するメディアコンバータの伝送処理部の伝送処理に関する稼働を停止する主経路メディアコンバータ稼働停止部をさらに有する（請求項２対応）。
【００２２】
前記構成に加え、前記管理カードは、障害判断部での判断結果が主経路の伝送処理に障害が発生したとの判断結果である場合には、主経路を構成するメディアコンバータのスイッチ側コンバータ部の伝送処理に関する稼働を停止するスイッチ側コンバータ部稼働停止部をさらに有する（請求項３対応）。
【００２３】
前記構成に加え、前記管理カードは、障害判断部での判断結果が主経路の伝送処理に障害が発生したとの判断結果である場合には、主経路を構成するメディアコンバータの他拠点側コンバータ部の稼働を停止する主経路メディアコンバータ他拠点側コンバータ部稼働停止部をさらに有する（請求項４対応）
【００２４】
前記構成に加え、前記メディアコンバータは、光メディアコンバータである（請求項５対応）。
【００２５】
前記構成に加え、集合型シャーシの前記シャーシ内通信経路は、バス線を有し、前記カード型メディアコンバータは、集合型シャーシに装着されることでバス線に信号送受信可能に接続されるメディアコンバータバス接続部を有する（請求項６対応）。
【００２６】
前記構成に加え、管理カードは、集合型シャーシに装着されることでバス線に信号送受信可能に接続される管理カードバス接続部を有する（請求項７対応）。
【００２７】
第２の発明は、段落番号００２０から段落番号００２６のいずれか一に記載の集合型シャーシシステムと、
このシャーシシステムに集合配置されたカード型メディアコンバータと信号のやり取りをするスイッチであって、カード型メディアコンバータから信号を取得する信号取得部と、成功した通信のスイッチングに基づいてアドレスとスイッチングを自動学習する自動学習部と、自動学習部での自動学習に基づくアドレスに応じたスイッチング制御部と、スイッチング制御部にて制御されるスイッチング部とスイッチング部からの信号を出力する信号出力部と、を有するスイッチと、
少なくとも主経路を構成するメディアコンバータ間及びメディアコンバータとスイッチ間の伝送線と、副経路を構成するメディアコンバータ間及びメディアコンバータとスイッチ間の伝送線と、からなる通信システム（請求項８対応）。
【００２８】
前記構成に加え、同一のスイッチに接続されるメディアコンバータの伝送処理部は、相互に伝送元スイッチを区別せずに取得した信号を伝送先スイッチに伝送する共有手段を有する（請求項９対応）
【００２９】
前記構成に加え、前記スイッチはイーサネット（登録商標）機器であり、これと、これに接続されているカード型メディアコンバータとは、イーサネット（登録商標）で規定されるリンク確立方式にて通信路を確立するリンク確立部を有する（請求項１０対応）。
【００３０】
第３の発明は、自拠点側ローカルネットワークと外部伝送線のインターフェイスとなるスイッチにそれぞれが接続されるとともに、それぞれが信号を伝送しあう他拠点側のメディアコンバータのそれぞれと接続される少なくとも主経路用と主経路に障害が発生した場合に利用される副経路用を含む複数のカード型のメディアコンバータと、複数のカード型メディアコンバータをシャーシ内通信経路にて直接的に一括管理する管理カードとを集合配置する集合型シャーシを備えた集合型シャーシシステムの動作方法であって、前記管理カードの動作は、前記主経路を構成するカード型メディアコンバータの信号の伝送処理（受信と送信の両者を含む）に障害が発生したか判断する障害判断ステップと、障害判断ステップでの判断結果が主経路の伝送処理に障害が発生したとの判断結果である場合には、副経路を構成するメディアコンバータを稼働する副経路メディアコンバータ稼働ステップと、を有する集合型シャーシシステムの動作方法（請求項１１対応）。
【００３１】
前記第３の発明において、前記管理カードの動作は、障害判断部での判断結果が主経路の伝送処理に障害が発生したとの判断結果である場合には、主経路を構成するメディアコンバータの伝送処理部の伝送処理に関する稼働を停止する主経路メディアコンバータ稼働停止ステップをさらに有する（請求項１２対応）。
【００３２】
前記第３の発明において、前記管理カードの動作は、障害判断部での判断結果が主経路の伝送処理に障害が発生したとの判断結果である場合には、主経路を構成するメディアコンバータのスイッチ側コンバータ部の伝送処理に関する稼働を停止するスイッチ側コンバータ部稼働停止ステップをさらに有する（請求項１３対応）。
【００３３】
前記第３の発明において、前記管理カードの動作は、障害判断部での判断結果が主経路の伝送処理に障害が発生したとの判断結果である場合には、主経路を構成するメディアコンバータの他拠点側コンバータ部の稼働を停止する主経路メディアコンバータ他拠点側コンバータ部稼働停止ステップをさらに有する（請求項１４対応）。
【００３４】
第４の発明は、自拠点側ローカルネットワークと外部伝送線のインターフェイスとなるスイッチにそれぞれが接続されるとともに、それぞれが信号を伝送しあう他拠点側のメディアコンバータのそれぞれと接続される少なくとも主経路用と主経路に障害が発生した場合に利用される副経路用を含む複数のカード型のメディアコンバータと、複数のカード型メディアコンバータをシャーシ内通信経路にて直接的に一括管理する管理カードとを集合配置する集合型シャーシを備えた計算機である集合型シャーシシステムの動作プログラムであって、前記管理カードの動作プログラムは、前記主経路を構成するカード型メディアコンバータの信号の伝送処理（受信と送信の両者を含む）に障害が発生したか判断する障害判断ステップと、障害判断ステップでの判断結果が主経路の伝送処理に障害が発生したとの判断結果である場合には、副経路を構成するメディアコンバータを稼働する副経路メディアコンバータ稼働ステップと、を有する計算機である集合型シャーシシステムに読取り実行可能な動作プログラム（請求項１５対応）。
【００３５】
第４の発明において、前記管理カードの動作プログラムは、障害判断部での判断結果が主経路の伝送処理に障害が発生したとの判断結果である場合には、主経路を構成するメディアコンバータの伝送処理部の伝送処理に関する稼働を停止する主経路メディアコンバータ稼働停止ステップをさらに有する（請求項１６対応）。
【００３６】
第４の発明において、前記管理カードの動作プログラムは、障害判断部での判断結果が主経路の伝送処理に障害が発生したとの判断結果である場合には、主経路を構成するメディアコンバータのスイッチ側コンバータ部の伝送処理に関する稼働を停止するスイッチ側コンバータ部稼働停止ステップをさらに有する（請求項１７対応）。
【００３７】
第４の発明において、前記管理カードの動作プログラムは、障害判断部での判断結果が主経路の伝送処理に障害が発生したとの判断結果である場合には、主経路を構成するメディアコンバータの他拠点側コンバータ部の稼働を停止する主経路メディアコンバータ他拠点側コンバータ部稼働停止ステップをさらに有する（請求項１８対応）
【発明の効果】
【００３８】
本発明によれば、外部のインターフェイススイッチ制御を用いないで経路切り替え制御可能とし、拠点内インターフェイススイッチ構成の簡素化を図れる集合型シャーシシステム及びその集合型シャーシシステムを用いた通信システムを提供することができる。
【図面の簡単な説明】
【００３９】
【図１】実施形態１の集合型シャーシシステムの機能ブロック図
【図２】実施形態における集合型シャーシシステムの全体斜視図
【図３】実施形態１集合型シャーシシステムのハードウェア構成例を示す図
【図４】実施形態１の集合型シャーシシステムの障害発生時の切替制御処理フロー
【図５】実施形態１の集合型シャーシシステムに搭載するカード型光メディアコンバータのハードウェア構成図
【図６】実施形態１の集合型シャーシシステムにおける管理カードのハードウェア構成図
【図７】実施形態１の集合型シャーシシステムのハードウェア構成図
【図８】実施形態２の集合型シャーシシステムの機能ブロック図
【図９】実施形態２の集合型シャーシシステムハードウェア構成例を示す図
【図１０】実施形態２の集合型シャーシシステムの障害発生時の切替制御処理フロー
【図１１】実施形態３の集合型シャーシシステムの機能ブロック図
【図１２】実施形態３の集合型シャーシシステムハードウェア構成例を示す図
【図１３】実施形態３の集合型シャーシシステムの障害発生時の切替制御処理フロー
【図１４】実施形態４の集合型シャーシシステムの機能ブロック図
【図１５】実施形態５の集合型シャーシシステムの機能ブロック図
【図１６】実施形態６の上記集合型シャーシシステムを用いた通信システムの機能ブロック図
【図１７】実施形態８の上記集合型シャーシシステムを用いた通信システムの機能ブロック図
【図１８】実施形態１の通信システムにＬ２スイッチと光メディアコンバータを用いた具体例を示す図
【図１９】図１８の通信システムにおける実施形態の経路切替制御フロー
【図２０】従来の通信システムにおける経路切替制御フロー
【図２１】実施形態５の集合型シャーシシステムのシリアルバス構成例（装置装着前）を示す図
【図２２】実施形態５の集合型シャーシシステムのシリアルバス構成例（装置装着後）を示す図
【図２３】実施形態４の集合型シャーシシステムの機能ブロック
【図２４】実施形態４の集合型シャーシシステムのムハードウェア構成例を示す図
【図２５】実施形態４の集合型シャーシシステムの障害発生時の切替制御処理フロー
【図２６】実施形態６の経路切替制御フローの上記集合型シャーシシステムを用いた通信システムの機能ブロック図
【図２７】実施形態７の上記集合型シャーシシステムの機能ブロック図
【発明を実施するための形態】
【００４０】
以下、本発明の実施の形態について、添付図面を用いて説明する。なお、本発明は、これら実施形態に何ら限定されるべきものではなく、その要旨を逸脱しない範囲において、種々なる態様で実施し得る。
【００４１】
なお、以下に記載する本装置の機能ブロックは、ハードウェア及びソフトウェアの組み合わせとして実現され得る。具体的には、コンピュータを利用するものであれば、ＣＰＵ（中央演算装置）や主メモリ、システムバス、あるいは二次記憶装置（ハードディスクドライブや不揮発性メモリ、ＣＤやＤＶＤなどの記憶メディアとそれらメディアの読取ドライブなど）、情報入力に利用される入力デバイス、表示装置、その他の外部周辺装置などのハードウェア構成部、例えばタブレットＰＣ、タッチ入力コンピュータ、パーソナルコンピュータ、ディスクトップ型コンピュータ、ノート型コンピュータ、スマートフォン、タッチパネルディスプレイ、ハードディスク、マイク、スピーカー、プリンタまたその外部周辺装置用のインターフェイス、ネットワークインターフェイス、集合型シャーシのシリアルバスインターフェイス、シリアルコンソールインターフェイス、ＬＥＤインターフェイス、タッチ入力インターフェイス、画像入力インターフェイス、マウス入力インターフェイス、ディスプレイインターフェイス、ＩＣカード入力インターフェイス、キーボード入力インターフェイス、音声入出力インターフェイス、それらハードウェアを制御するためのドライバプログラムやその他アプリケーションプログラム、ユーザ・インターフェイス用アプリケーションなどが挙げられる。そして主メモリ上に展開したプログラムに従ったＣＰＵの演算処理によって、入力デバイスやその他インターフェイスなどから入力され、メモリやハードディスク上に保持されているデータなどが加工、蓄積されたり、上記各ハードウェアやソフトウェアを制御するための命令が生成されたりする。あるいは本装置の機能ブロックは専用ハードウェアによって実現されてもよい。また、本装置は一つのハードウェアやソフトウェアにより構成される場合に限られず、複数のハードウェアやソフトウェアの組み合わせによって構成されてもよく、ネットワークを介在したサーバ装置を含んで構成されてもよい。
【００４２】
また、この発明は装置として実現できるのみでなく、方法としても実現可能である。また、このような発明の一部をソフトウェアとして構成することができる。さらに、そのようなソフトウェアをコンピュータに実行させるために用いるプログラム、及びプログラムを固定した記録媒体も、当然にこの発明の技術的な範囲に含まれる（本明細書の全体を通じて同様である）。
＜実施形態１＞
＜実施形態１  概要＞
【００４３】
本実施形態の集合型シャーシシステムは、少なくとも主経路用と副経路用の複数のカード型メディアコンバータとこれらのカード型メディアコンバータを制御する管理カードを内蔵し、管理カードが回線障害（例えば、リンクダウン）を検出すると、管理カードの制御により副経路用のカード型メディアコンバータを稼働するものである。集合型シャーシシステムは、図２に示すように、集合型シャーシシステム０２００の集合型シャーシ０２０１に複数のカード型メディアコンバータ０２０３が挿抜可能な状態で取付けられる。また、管理カードもカード型メディアコンバータ０２０３と同様なカード型の構造をしている。図２の例では、多数のカード型メディアコンバータ（最大２０台）装着可能な例を示しているが、少なくともカード型メディアコンバータが２台装着でき、カード型の管理カードが１台装着できれば、本発明を適用できる。メディアコンバータに接続される光ファイバーケーブル、ＵＴＰケーブル、同軸ケーブル等の配線処理をするための引き出し式のトレイ０２０４を備えてもよい。
＜実施形態１の構成＞
【００４４】
本実施形態の集合型シャーシシステム０１００は、図１に示すように、コンバータ部０１１２と伝送処理部０１１３を有するカード型メディアコンバータ（主経路）０１０１と、コンバータ部０１１４と伝送処理部０１１５を有するカード型メディアコンバータ（副経路）０１０２と、管理カード０１０３とから構成され、管理カード０１０３は障害判断部０１１０と副経路メディアコンバータ稼働部０１０１を有する。カード型メディアコンバータ０１０１と０１０２はスイッチ０１０４に接続され、信号を伝送しあう相手方のメディアコンバータ（図示せず）と接続される。ここで、コンバータ部０１１２、０１１４は、例えば、後記図５に示すように、光ポート０５０１と，ＬＡＮポート０５０２と、物理層処理ユニット０５０４とから構成される。また、伝送処理部０１１３、０１１５は、例えば、後記図５に示すように、データリンク処理ユニットを含むプロセッサ０５０５から構成されている。
＜実施形態１の構成の説明＞
【００４５】
「集合型シャーシシステム」０１００は、自拠点ローカルネットワークと外部伝送線のインターフェイスとなるスイッチ０１０４にそれぞれが接続されるとともに、それぞれが信号を伝送しあう他拠点側のメディアコンバータ（図示せず）のそれぞれと接続される複数のカード型メディアコンバータ０１０１（主経路用）と０１０２（副経路用）、複数のメディアコンバータをシャーシ内通信経路にて直接的に一括管理する管理カード０１０３とを集合配置する集合型シャーシ（図２の０２０１）を備えている。カード型メディアコンバータ０１０１とカード型メディアコンバータ０１０２と管理カード０１０３とはシャーシ内の通信経路にて接続されており、管理カード０１０３の制御により直接制御するシステム構成である。例えば１９インチラック構成の集合型シャーシに、複数のカードモジュールを搭載可能な構成となっている。この搭載するカードモジュールの大きさにより集合型シャーシの高さは、適宜変更可能である。集合型シャーシを１９インチラックで実現する場合は、２Ｕサイズや１Ｕサイズ等の標準規格を採用できる。
【００４６】
スイッチ１０４の例としては、後記図２６に示すようなイーサネット（登録商標）スイッチとしてのＬ２スイッチ、このＬ２スイッチにルーティング機能を備えたＬ３スイッチ、スイッチングハブ等のネットワーク機器（イーサネット（登録商標）機器）が適用できる。例えば、２つの自拠点と他拠点との間で信号伝送を行う場合、集合型シャーシシステム０１００を、自拠点と他拠点にそれぞれ設置し、図２に示すような集合型シャーシに、カード型メディアコンバータ（主経路）０１０１とカード型メディアコンバータ（副経路）０１０２と管理カード０１０３信号（データ）とを内蔵させて、冗長システムを構成する。そして、自拠点のローカルネットワークと他拠点のローカルネットワークとを接続し、集合型シャーシシステム間を外部伝送線（例えば、光ファイバーケーブル、ＵＴＰケーブル、同軸ケーブル等）をつないで、送信と受信データ伝送の中継を行う。冗長システムの主経路で回線障害（例えば、リンクダウン）が発生した場合、管理カード０１０３の制御により主経路から副経路への切替えを行う。
また、他拠点側のメディアコンバータは、図示していないが、図１の構成と同様なものである。集合型シャーシ内通信経路にて直接的に一括管理とは、集合型シャーシ内で直接制御していることを意味し、主経路や副経路の帯域を利用しないことを意味する。集合配置とは、複数台のメディアコンバータをまとめて配置できることをいう。
【００４７】
集合型シャーシシステムの具体例を図７に示す。図７の集合型シャーシシステム（集合型シャーシ）０７００には、カード型の管理カード２台、電源ユニット２台、カード型メディアコンバータ（ラインカード）２０台がそれぞれ搭載できる。カード型メディアコンバータ０７０１、０７０２，０７０３，０７０４，０７０５・・・・（×２０）、管理カード０７０６，０７０７、電源供給ユニット０７０９、０７０９を備えている。図７の例では、カード型メディアコンバータ、管理カード、電源供給ユニットが集合型シャーシの外部に出ているが、実際は集合型シャーシの筐体のスロットから装着され、内蔵している。管理カード０７０６、０７０７はシリアルバス（例えば、ＲＳ４８５バス、Ｉ２Ｃバス）を介してカード型メディアコンバータ０７０１・・・・０７０５と接続され、直接シリアル通信を行う。汎用の入出力インターフェイス（ＧＰＩＯインターフェイス）の場合はシリパラ変換を行うパラレルスイッチを介して接続される。ＲＳ４８５バスは、管理カード０７０６、０７０７とカード型メディアコンバータ（主経路用または副経路用）間でリンク状態や起動・停止命令などの情報を交換する。また、Ｉ２Ｃバスは、カード型メディアコンバータまたは電源ユニットの搭載の有無を管理カード０７０６、０７０７が取得するのに用いられる。
【００４８】
本集合型シャーシステムを用いて管理カードによる光メディアコンバータの経路切替を行う通信システムの例を図１８に示す。
【００４９】
図１８の例では、自拠点のローカルエリアネットワークと他拠点のローカルエリアネットワークとを接続するために、自拠点側集合型シャーシシステム１８０１と他拠点側集合型シャーシシステム１８０２を設置し、自拠点側の集合型シャーシ１８０１内に、カード型の光メディアコンバータ（主経路用）１８１０とカード型の光メディアコンバータ（副経路用）１８１１と内蔵させ、これらの光メディアコンバータ１８１１と光メディアコンバータ１８１２とを同一バスでシリアルバス接続した管理カード１８１２を内蔵させる。また、他拠点側の集合型シャーシ１８０２内に、カード型の光メディアコンバータ（主経路用）１８２０とカード型の光メディアコンバータ（副経路用）１８２１とを内蔵させ、これらの光メディアコンバータ１８２１と光メディアコンバータ１８２２とを同一バスでシリアルバス接続した管理カード１８２２を内蔵させる。
【００５０】
自拠点または他拠点のローカルネットワークにはパソコンやサーバやデータセンタなどが備えられている。これらの自拠点の機器（図示せず）とイーサネット（登録商標）機器としてのＬ２スイッチ１８０３と集合型シャーシシステム１８０１とがネットワーク接続され、自拠点側の集合型シャーシに内蔵された主経路用のカード型光メディアコンバータ１８１０と他拠点側の集合型シャーシに内蔵された主経路用のカード型光メディアコンバータ１８２０とが、光回線（光ファイバーケーブルなどの伝送線）１８０５ａ（上り回線）、１８０５ｂ（下り回線）を介して接続され、自拠点側の集合型シャーシに内蔵された主経路用のカード型光メディアコンバータ１８１１と他拠点側の集合型シャーシに内蔵された主経路用のカード型光メディアコンバータ１８２１とが、光回線（光ファイバーケーブルなどの伝送線）１８０６ａ（上り回線）、１８０６ｂ（下り回線）を介して接続される。同様に他拠点の機器（図示せず）とイーサネット（登録商標）機器としてのＬ２スイッチ１８０４とがネットワーク接続され、冗長システムを構成する。
【００５１】
ここで、Ｌ２スイッチは、切替え制御機能を持たないダムスイッチを利用できるようになり、システムの簡素化が図れる。もちろん、切替え制御機能を有するＬ２スイッチ、ＩＰルーティング機能を有するＬ３スイッチなどを利用することができ、システム構築の柔軟性を高めることができる。また、カード型メディアコンバータはリンクフォルトパススルー機能を追加する必要がなくなり、メディアコンバータのコストダウンにつながる。当然ながら、リンクフォルトパススルー機能を備えたメディアコンバータにおいては、リンクフォルトパススルー機能を無効にして本発明の冗長システムに適用できる。
【００５２】
通常は主経路のみに接続された機器が稼働し、リンク確立状態で信号の伝送を行っている。両自他拠点の管理カードは主経路の光回線を監視している。そして、主経路の光回線１８０５に回線障害（例えば、リンクダウン）が発生すると、管理カード１８１２又は１８２２は独立制御により、副経路の光メディアコンバータ１８１１又は１８２１に対して起動命令（稼働命令）を発行し、各機器とのリンク確立を行った後、副経路に切替えを行う。その後、管理カード１８１２又は１８２２は独立制御により、主経路の光メディアコンバータ１８１０又は１８１１に対して主経路の光メディアコンバータの稼働停止命令を発行し、主経路を構成するメディアコンバータの伝送処理部の伝送処理に関する稼働を停止する。
【００５３】
「カード型メディアコンバータ」０１０１は、複数のカード型メディアコンバータの少なくとも一はコンバータ部０１１２と伝送処理部０１１３とを有するとともに、障害が発生しない場合に稼働する主経路を構成するメディアコンバータである。カード型メディアコンバータ０１０１は、正常に主経路が動作しているときに、他拠点側のメディアコンバータとデータの伝送（送信と受信）を行っている。主経路は、拠点内または拠点間の高速データ伝送するために、送信用の伝送線と受信用の伝送線を有することが望ましい。所望の通信速度に問題がない場合は、伝送線を１つ利用して多重化して送受信してもよい。
【００５４】
「カード型メディアコンバータ」０１０２は、複数のカード型メディアコンバータの少なくとも他の一はコンバータ部０１１４と伝送処理部０１１５とを有し、障害が発生しない場合には伝送処理部０１１４又は／及びコンバータ部０１１５による伝送処理が稼働しない副経路を構成するメディアコンバータである。ここで、副経路のメディアコンバータ０１０２は、伝送処理部０１１５による伝送処理が稼働しない状態にしたり、コンバータ部０１１４による伝送処理（送信または受信）が稼働しない状態にしたりしている。または伝送処理部０１１５及びコンバータ部０１１４による伝送処理が稼働しない状態にしている。
【００５５】
「複数のカード型メディアコンバータ」を用いている理由は、１つの経路のデータ伝送において、障害が発生したとき、経路を切り替えてデータ伝送を可能とするため、冗長システムを構成している。大量のデータを伝送する場合や、データ伝送の拠点数を増やしたい場合は、カード型メディアコンバータの数を、主経路用と副経路用の２セットずつ増設することでシステムを拡張することができる。カード型メディアコンバータとしては、例えば光メディアコンバータを用いることができる。光通信によりギガネットワークを構成することもできる。
【００５６】
カード型メディアコンバータが光メディアコンバータの例を図５に示す。
【００５７】
「光メディアコンバータ」０５００は、図５に示すように、光ポート（例えば、ＳＦＰコネクタ等を備える）０５０１と、ＬＡＮポート（例えば、ＲＪ−４５コネクタ等を備える）０５０２と、各種通信状態を表示するＬＥＤ０５０３と、ＯＳＩ参照基準の物理層の処理を行う物理層処理ユニット０５０４と、データリンク処理ユニットを含むプロセッサ０５０５と、メディア変換のための各種プログラムを内蔵したＲＯＭ０５０６と、ＲＯＭ０５０６のプログラムを読み出して保持するＲＡＭ０５０７と、背面コネクタ０５０９と直流電源（ＤＣ）入力用のコネクタ０５１０を有している。
【００５８】
プロセッサ０５０５のデータリンク層処理ユニット０５０８と物理層処理ユニット０５０４によりリンク確立とデータ転送を行う。背面コネクタ０５０９は集合型シャーシに接続するコネクタであり、シリアル通信バス（例えば、ＲＳ４８５バス）経由で管理カードと情報を交換する。データリンク層処理ユニット０５０８を含むプロセッサ０５０５がリンク状態の提供やメディアコンバータの起動（稼働）や停止命令（稼働停止命令）の受付を行う。
【００５９】
「管理カード」０１０３は、前記主経路を構成するメディアコンバータの信号の伝送処理に障害が発生したか判断する障害判断部０１１０と、障害判断部０１１０での判断結果が主経路の伝送処理に障害が発生したとの判断結果である場合には、副経路を構成するメディアコンバータを稼働する副経路メディアコンバータ稼働部０１１１と、を有する。障害判断部０１１０は、主経路のカード型メディアコンバータ０１０１を常時監視しており、障害（例えば、リンクダウン）が発生すると、障害を検出し、起動命令を発行し、すぐに副経路メディアコンバータ稼働部０１１０を稼働（起動）させて、副経路用のカード型メディアコンバータ０１０２を起動する。次に、副経路用のカード型メディアコンバータ０１０２は、オートネゴシエーション機能により、拠点間の各機器とのリンク確立を行い、副経路接続への切替処理を行う。その後、管理カード０１０３は、主経路メディアコンバータの稼働停止命令（停止命令）を発行し、主経路のカード型メディアコンバータ０１０１を稼働停止させてもよい。ここでいう稼働停止状態とは、主経路のメディアコンバータの稼働はしているが、コンバータ部や伝送処理部による伝送処理が稼働しない状態をいう。これにより、主経路がリンクアップの状態を維持し、ループなどが発生することを防止することができる。
【００６０】
本実施形態における管理カードの具体例を図６に示す。
「管理カード」０６００は、図６に示すように、コンソールポート（例えば、ＤＳＵＢ９のコネクタ等を備える）０６０１と、ＬＡＮポート（例えば、ＲＪ−４５コネクタ等を備える）０６０２と、各種通信状態を表示するＬＥＤ０６０３と、ＯＳＩ参照基準の物理層の処理を行う物理層処理ユニット０６０５と、プロセッサ０６０６と、各種管理制御プログラムを内蔵したＲＯＭ０６０７と、ＲＯＭ０６０７のプログラムを読み出して保持するＲＡＭ０６０８と、背面コネクタ０６１０と直流電源（ＤＣ）入力用のコネクタ０６１１を有している。コンソールポート０６０１とＬＡＮポート０６０２はユーザ・インターフェイスであり、使用者（運用管理者）はこのポート０６０１又は０６０２にパソコンなどの管理端末を接続して各種設定や状態監視を行う。背面コネクタ０６０１は集合型シャーシに接続するバスコネクタであり、シリアル通信バス（例えば、ＲＳ４８５バス）経由でカード型光メディアコンバータ０５００と情報を交換する。プロセッサ０６０６がリンク状態の取得やメディアコンバータの起動（稼働）や停止命令（稼働停止命令）の発行を行う。
【００６１】
「障害判断部」０１１０は、主経路を構成するカード型メディアコンバータ０１０１による信号（データ）の伝送において、データ受信またはデータ送信時に障害が発生したかを判断する。この障害としては、主経路を構成するネットワーク機器間のリンクダウン検出などが挙げられる。
【００６２】
「副経路メディアコンバータ稼働部」０１１１は、障害判断部０１１０のリンクダウン検出結果を受けて、通常は伝送処理が稼働していない状態（待機状態）にあった副経路用のカード型メディアコンバータ０１０２に対して切替処理として起動命令を発行し、副経路用のカード型メディアコンバータによる伝送処理を稼働させ、各機器のオートネゴシエーション機能によりリンク確立を行い、副経路接続を行う。このとき、主経路のカード型メディアコンバータ０１０１を停止させてもよい。
＜実施形態１  管理カード：ハードウェア的構成＞
【００６３】
図３に示すように、管理カードの計算機のハードウェア構成は、ＣＰＵ０３０１と、シリアルフラッシュＲＯＭ、ＳＤカード、ＵＳＢストレージ等の不揮発性メモリ０３０２と、主メモリ０３０３と、インターフェイス０３０４とから構成されている。不揮発性メモリ０３０２には、障害判断プログラム、副経路メディアコンバータ稼働プログラム、管理制御プログラム、等のプログラムが格納されている。データとしては、障害データ、管理制御データなどがある。これらのプログラムやデータは、主メモリ０３０３の保持領域に読み込まれ、作業領域で実行される。また、インターフェイス０３０４には、ネットワークインターフェイス０３０５、集合型シャーシのシリアルバスインターフェイス０３０６、シリアルコンソールインターフェイス０３０７、ＬＥＤインターフェイス０３０８などのインターフェイスを備えている。
＜実施形態１  管理カード：処理の流れ＞
【００６４】
図４に示すように、このような管理カードの計算機は、少なくとも主経路用と主経路に障害が発生した場合に利用される副経路用を含む複数のカード型のメディアコンバータと、複数のカード型メディアコンバータをシャーシ内通信経路にて直接的に一括管理する管理カードとを集合配置する集合型シャーシを備えた集合型シャーシシステムにおいて、管理カードによる切替制御を行うものである。
【００６５】
図４にあるように、この管理カードの計算機の動作は、まず、主経路を構成するカード型メディアコンバータの信号の伝送処理（受信と送信の両者を含む）に障害が発生したか判断する障害判断ステップを実行すると（ステップ０４０１）、ステップ０４０１の障害判断ステップでの判断結果が主経路の伝送処理に障害が発生したとの判断結果である場合には、副経路を構成するメディアコンバータを稼働する副経路メディアコンバータ稼働ステップを実行する（ステップ０４０２）。
【００６６】
以下、図１９を用いて本実施形態１の経路切替制御全体について説明する。
（ステップ１）自拠点と他拠点をネットワーク接続するＬ２スイッチ（ＳＷ）またはＭＣ（主）は、オートネゴシエーション機能により、それぞれリンクを確立し、主経路が稼働する。ここで、両自他拠点のＭＣ（主）は稼働・リンク確立状態になっている。また、両自他拠点のＭＣ（副）は稼働停止状態、例えば、コンバータ部を停止した状態となっている。
【００６７】
（ステップ２）両自他拠点の管理カード（管理Ｃ）はそれぞれの拠点の主経路のＭＣ（主）を監視する。ここで、自他拠点の管理カード（管理Ｃ）から主経路のＭＣ（主）へのリンク監視状態にある。
【００６８】
（ステップ３）両自他拠点のＭＣ（主）は、光経路で回線障害が発生した場合、信号断によってイーサネット（登録商標）規定のリンク確立条件を満たさなくなった（規定の通信プロトコルが得られなくなった）ので、ＭＣ（主）の光ポートをリンクダウンに遷移する。このとき、ＭＣ（主）は稼働しているが、リンク未確立状態となる。
【００６９】
（ステップ４）両自他拠点のそれぞれの管理カードはリンクダウン時に、切替処理として管理カードからＭＣ（副）に対して起動命令を発行し、両自他拠点の副経路ＭＣ（副）を起動する。例えば、コンバータ部を起動させた状態にする。このとき、ＭＣ（副）は稼働・リンク未確立状態となる。
【００７０】
（ステップ５）自拠点と他拠点を接続するＬ２スイッチ（ＳＷ）またはＭＣ（副）はオートネゴシエーション機能により、それぞれリンクを確立し、副経路が稼働する。これにより、自拠点のＳＷ、ＭＣ（副）、他拠点のＭＣ（副）、ＳＷの各機器は、稼働・リンク確立状態となり、副経路による信号の伝送（送信と受信）が行えるようになる。
【００７１】
（ステップ６）両自他拠点の管理カードは、それぞれの拠点の管理カードから各ＭＣ（主）に対して停止命令（稼働停止命令）を発行し、各ＭＣ（主）の稼働を停止する。すなわち、ＭＣ（主）のコンバータ部の稼働停止を行う。これにより、自他拠点のＳＷの各機器は、主経路への信号の伝送を停止する。
【００７２】
（ステップ７）両自他拠点の管理カードはそれぞれの拠点の副経路のＭＣ（副）を監視し、副経路が完備されていることを確認する。
【００７３】
ここでは、ＭＣ（副）のコンバータ部の停止・稼働のみによる場合を取り扱っているが、伝送処理部の停止・稼働によって経路切替を実施することもできる。その場合は、ＭＣ（副）はリンク確立をしながら伝送処理部の停止によって未導通の状態で待機し、障害発生時に伝送処理部の稼働によって直ちに信号の通信を開始する。
【００７４】
主経路の回線復旧時には、管理カードは特に何も動作を行わない。管理カードの動作設定では、主経路・副経路の入れ替え設定、すなわち、切替後の経路を主経路、回線障害の起きた経路を副経路として設定することができる。ユーザが障害回線の回復時に手動でその変更を行うことで、稼働中の回線に影響せずに冗長性を確保できる。
＜実施形態１  効果＞
【００７５】
このように、実施形態１によれば、外部のインターフェイススイッチ制御を用いないで経路切り替え制御可能とし、拠点内インターフェイススイッチ構成の簡素化を図れる集合型シャーシシステムを提供することができる。
＜実施形態２＞
＜実施形態２  概要＞
【００７６】
本実施形態２の集合型シャーシシステムは、実施形態１の集合型シャーシシステムを基本としつつ、主経路を構成するメディアコンバータの伝送処理部の伝送処理に関する稼働を停止する主経路メディアコンバータ稼働停止部をさらに有するものである。
＜実施形態２  構成＞
【００７７】
本実施形態の集合型シャーシシステム０８００は、図８に示すように、コンバータ部０８１３と伝送処理部０８１４を有するカード型メディアコンバータ（主経路）０８０１と、コンバータ部０８１５と伝送処理部０８１６を有するカード型メディアコンバータ（副経路）０８０２と、管理カード０８０３とから構成され、管理カード０８０３は障害判断部０８１０と副経路メディアコンバータ稼働部０８１１を有し、さらに主経路メディアコンバータ稼働停止部０８１２を有する。カード型メディアコンバータ０８０１と０８０２はスイッチ０８０４にそれぞれ接続され、それぞれが信号を伝送しあう他拠点側のメディアコンバータ（図示せず）と接続される。
＜実施形態２  構成の説明＞
【００７８】
「主経路メディアコンバータ稼働停止部」０８１２は、管理カード０８０３に備えられ、障害判断部での判断結果が主経路の伝送処理に障害が発生したとの判断結果である場合に主経路を構成するメディアコンバータの稼働を停止する。すなわち、カード型メディアコンバータ（主経路）０８０１の稼働を停止させる。
＜実施形態２  管理カード：ハードウェア的構成＞
【００７９】
図９に示すように、管理カードの計算機のハードウェア構成は、ＣＰＵ０９０１と、シリアルフラッシュＲＯＭ、ＳＤカード、ＵＳＢストレージ等の不揮発性メモリ０９０２と、主メモリ０９０３と、インターフェイス０９０４とから構成されている。不揮発性メモリ０９０２には、障害判断プログラム、副経路メディアコンバータ稼働プログラム、主経路メディアコンバータ稼働停止プログラム、管理制御プログラム、等のプログラムが格納されている。データとしては、障害データ、管理制御データなどがある。これらのプログラムやデータは、主メモリ０９０３の保持領域に読み込まれ、作業領域で実行される。また、インターフェイス０９０４には、ネットワークインターフェイス０９０５、集合型シャーシのシリアルバスインターフェイス０９０６、シリアルコンソールインターフェイス０９０７、ＬＥＤインターフェイス０９０８などのインターフェイスを備えている。
＜実施形態２  管理カード：処理の流れ＞
【００８０】
図１０に示すように、このような管理カードの計算機は、少なくとも主経路用と主経路に障害が発生した場合に利用される副経路用を含む複数のカード型のメディアコンバータと、複数のカード型メディアコンバータをシャーシ内通信経路にて直接的に一括管理する管理カードとを集合配置する集合型シャーシを備えた集合型シャーシシステムにおいて、管理カードによる切替制御を行うものである。
【００８１】
図１０にあるように、この管理カードの計算機の動作は、まず、主経路を構成するカード型メディアコンバータの信号の伝送処理（受信と送信の両者を含む）に障害が発生したか判断する障害判断ステップを実行すると（ステップ１００１）、ステップ１００１の障害判断ステップでの判断結果が主経路の伝送処理に障害が発生したとの判断結果である場合には、副経路を構成するメディアコンバータを稼働する副経路メディアコンバータ稼働ステップを実行する（ステップ１００２）。
【００８２】
次に、主経路メディアコンバータ稼働停止プログラムにより、主経路メディアコンバータの伝送処理部の伝送に関する稼働を停止させる（ステップ１００３）。これにより、主経路から副経路への切替え制御を行った後に、リンク確立状態を維持して、主経路復旧時のループなどの問題を発生することがなくなり、システムの安定性が増す。
＜実施形態２  効果＞
【００８３】
このように、本実施形態２によれば、実施形態１に加え、主経路メディアコンバータの伝送処理部の伝送に関する稼働を停止させるので、主経路から副経路への切替え制御を行った後に、主経路のリンク確立状態を維持して、ループなどの問題を発生することがなくなり、システムの安定性が増すことができる。
＜実施形態３＞
＜実施形態３  概要＞
【００８４】
本実施形態２の集合型シャーシシステムは、実施形態１または実施形態２を基本としつつ、障害判断部での判断結果が主経路の伝送処理に障害が発生したとの判断結果である場合には、主経路を構成するメディアコンバータのスイッチ側コンバータ部の伝送処理に関する稼働を停止するスイッチ側コンバータ部稼働停止部をさらに有するものである。
＜実施形態３  構成＞
【００８５】
本実施形態の集合型シャーシシステム１１００は、図１１に示すように、コンバータ部１１１４と伝送処理部１１１５を有するカード型メディアコンバータ（主経路）１１０１と、コンバータ部１１１６と伝送処理部１１１７を有するカード型メディアコンバータ（副経路）１１０２と、管理カード１１０３とから構成され、管理カード１１０３は障害判断部１１１０と副経路メディアコンバータ稼働部１１１１と主経路メディアコンバータ稼働停止部１１１２とスイッチ側コンバータ部稼働停止部１１１３を有する。カード型メディアコンバータ１１０１と１１０２はスイッチ１１０４に接続され、信号を伝送しあう相手方のメディアコンバータ（図示せず）と接続される。
＜実施形態３  構成の説明＞
【００８６】
「スイッチ側コンバータ部稼働停止部」１１１３は、管理カード１１０３に備えられ、障害判断部１１１０での判断結果が主経路の伝送処理に障害が発生したとの判断結果である場合には、主経路を構成するメディアコンバータのスイッチ側コンバータ部の伝送処理の稼働を停止する。すなわち、主経路の信号の伝送処理に障害が発生した場合、主経路メディアコンバータ稼働停止部１１１２によりカード型メディアコンバータ（主経路）１１０１の稼働を停止するとともに、スイッチ側コンバータ部稼働停止部１１１３によりカード型メディアコンバータ（主経路）１１０１のコンバータ部の稼働を停止する。
＜実施形態３  管理カード：ハードウェア的構成＞
【００８７】
図１２に示すように、管理カードの計算機のハードウェア構成は、ＣＰＵ１２０１と、シリアルフラッシュＲＯＭ、ＳＤカード、ＵＳＢストレージ等の不揮発性メモリ１２０２と、主メモリ１２０３と、インターフェイス１２０４とから構成されている。不揮発性メモリ１２０２には、障害判断プログラム、副経路メディアコンバータ稼働プログラム、管理制御プログラム、等のプログラムが格納されている。データとしては、障害データ、管理制御データなどがある。これらのプログラムやデータは、主メモリ１２０３の保持領域に読み込まれ、作業領域で実行される。また、インターフェイス１２０４には、ネットワークインターフェイス１２０５、集合型シャーシのシリアルバスインターフェイス１２０６、シリアルコンソールインターフェイス１２０７、ＬＥＤインターフェイス１２０８などのインターフェイスを備えている。
＜実施形態３  管理カード：処理の流れ＞
【００８８】
図１３に示すように、このような管理カードの計算機は、少なくとも主経路用と主経路に障害が発生した場合に利用される副経路用を含む複数のカード型のメディアコンバータと、複数のカード型メディアコンバータをシャーシ内通信経路にて直接的に一括管理する管理カードとを集合配置する集合型シャーシを備えた集合型シャーシシステムにおいて、管理カードによる切替制御を行うものである。
【００８９】
図１３にあるように、この管理カードの計算機の動作は、まず、主経路を構成するカード型メディアコンバータの信号の伝送処理（受信と送信の両者を含む）に障害が発生したか判断する障害判断ステップを実行すると（ステップ１３０１）、ステップ１３０１の障害判断ステップでの判断結果が主経路の伝送処理に障害が発生したとの判断結果である場合には、副経路を構成するメディアコンバータを稼働する副経路メディアコンバータ稼働ステップを実行する（ステップ１３０２）。
【００９０】
次に、スイッチ側コンバータ部稼働停止プログラムにより、主経路メディアコンバータのスイッチ側コンバータ部の伝送処理の稼働を停止させる（ステップ１３０３）。これにより、主経路がリンク確立状態を維持し続けることなく確実に未リンク状態に変化するので、主経路のリンク確立状態を維持して、スイッチのＭＡＣ学習による主経路への転送などの問題を発生することがなくなり、システムの安定性が増す。
＜実施形態３  効果＞
【００９１】
このように、本実施形態３によれば、実施形態１又は実施形態２に加え、主経路を構成するメディアコンバータのスイッチ側コンバータ部の伝送処理に関する稼働を停止させるので、主経路から副経路への切替え制御が行った後に、主経路のリンク確立状態を維持して、主経路への転送などの問題を発生することがなくなり、システムの安定性が増すことができる。
＜実施形態４＞  
＜実施形態４  概要＞
【００９２】
本実施形態４の集合型シャーシシステムは、実施形態１〜実施形態３を基本としつつ、障害判断部での判断結果が主経路の伝送処理に障害が発生したとの判断結果である場合には、主経路を構成するメディアコンバータの他拠点側コンバータ部の稼働を停止する主経路メディアコンバータ他拠点側コンバータ部稼働停止部をさらに有するものである。
＜実施形態４  構成＞
【００９３】
本実施形態の集合型シャーシシステム２３００は、図２３に示すように、コンバータ部２３１４と伝送処理部２３１５を有するカード型メディアコンバータ（主経路）２３０１と、コンバータ部２３１６と伝送処理部２３１７を有するカード型メディアコンバータ（副経路）２３０２と、管理カード２３０３とから構成され、管理カード２３０３は障害判断部２３１０と副経路メディアコンバータ稼働部２３１１と主経路メディアコンバータ稼働停止部２３１２と主経路メディアコンバータ他拠点側コンバータ稼働停止部２３１３を有する。カード型メディアコンバータ２３０１と２３０２はスイッチ２３０４にそれぞれ接続され、それぞれが信号を伝送しあう他拠点側のメディアコンバータ（図示せず）と接続される。
＜実施形態４  構成の説明＞
「主経路メディアコンバータ他拠点側コンバータ部稼働停止部」２３１３は、管理カード２３０３に備えられ、障害判断部２３１０での判断結果が主経路の伝送処理に障害が発生したとの判断結果である場合には、主経路を構成するメディアコンバータ２３１５の他拠点側コンバータ部の稼働を停止する。すなわち、主経路の信号の伝送処理に障害が発生した場合、主経路メディアコンバータ稼働停止部２３１２によりカード型メディアコンバータ（主経路）２３０１の稼働を停止するとともに、主経路メディアコンバータ他拠点側コンバータ部稼働停止部２３１３により主経路を構成するメディアコンバータの他拠点側コンバータ部の稼働を停止する。
＜実施形態４  管理カード：ハードウェア的構成＞
【００９４】
図２４に示すように、管理カードの計算機のハードウェア構成は、ＣＰＵ２４０１と、シリアルフラッシュＲＯＭ、ＳＤカード、ＵＳＢストレージ等の不揮発性メモリ２４０２と、主メモリ２４０３と、インターフェイス２４０４とから構成されている。不揮発性メモリ２４０２には、障害判断プログラム、副経路メディアコンバータ稼働プログラム、主経路メディアコンバータ稼働停止プログラム、主経路メディアコンバータ他拠点側コンバータ部稼働停止プログラム、管理制御プログラム、等のプログラムが格納されている。データとしては、障害データ、管理制御データなどがある。これらのプログラムやデータは、主メモリ１２０３の保持領域に読み込まれ、作業領域で実行される。また、インターフェイス２４０４には、ネットワークインターフェイス２４０５、集合型シャーシのシリアルバスインターフェイス２４０６、シリアルコンソールインターフェイス２４０７、ＬＥＤインターフェイス２４０８などのインターフェイスを備えている。
＜実施形態４  管理カード：処理の流れ＞
【００９５】
図２５に示すように、このような管理カードの計算機は、少なくとも主経路用と主経路に障害が発生した場合に利用される副経路用を含む複数のカード型のメディアコンバータと、複数のカード型メディアコンバータをシャーシ内通信経路にて直接的に一括管理する管理カードとを集合配置する集合型シャーシを備えた集合型シャーシシステムにおいて、管理カードによる切替制御を行うものである。
【００９６】
図２５にあるように、この管理カードの計算機の動作は、まず、主経路を構成するカード型メディアコンバータの信号の伝送処理（受信と送信の両者を含む）に障害が発生したか判断する障害判断ステップを実行すると（ステップ２５０１）、ステップ２５０１の障害判断ステップでの判断結果が主経路の伝送処理に障害が発生したとの判断結果である場合には、副経路を構成するメディアコンバータを稼働する副経路メディアコンバータ稼働ステップを実行する（ステップ２５０２）。
【００９７】
次に、主経路メディアコンバータ他拠点側コンバータ部稼働停止プログラムにより、主経路を構成するメディアコンバータ２３１５の他拠点側コンバータ部の稼働を停止する（ステップ２５０３）。これにより、例えばスイッチ・メディアコンバータ間で障害が発生した場合、主経路から副経路への切替え制御を行った後に、光回線が正常でリンクアップ確立を維持しても確実に未リンク確立状態に変化できるので、光回線側の主経路の一部がリンク確立状態を維持して、他拠点側のスイッチのＭＡＣ学習による主経路への転送などの問題を発生することがなくなり、システムの安定性を増すことができる。
＜実施形態４  効果＞
【００９８】
このように、本実施形態４によれば、実施形態１〜実施形態３に加え、主経路を構成するメディアコンバータの他拠点側コンバータ部の稼働を停止することにより、スイッチのＭＡＣ学習による主経路への転送の問題を解消できる。
＜実施形態５＞
＜実施形態５  概要＞
【００９９】
実施形態５の集合型シャーシシステムは、実施形態１から実施形態４を基本としつつ、集合シャーシ内のシリアルバス通信路にバス線を用いて、メディアコンバータと管理カードにバス接続部を有する。
＜実施形態５  構成＞
【０１００】
本実施形態の集合型シャーシシステム１４００は、図１４に示すように、コンバータ部１４１６と伝送処理部１４１７を有するカード型メディアコンバータ（主経路）１４０１と、コンバータ部１４１８と伝送処理部１４１９を有するカード型メディアコンバータ（副経路）１４０２と、管理カード１４０３とから構成される。そして、カード型メディアコンバータ（主経路）１４０１と管理カード１４０３とがシリアル通信するため、集合型シャーシシステム１４００（集合型シャーシ）内にメディアコンバータバス接続部１４１１を有し、カード型メディアコンバータ（副経路）１４０２と管理カード１４０３とがシリアル通信するため、集合型シャーシシステム１４００内にメディアコンバータバス接続部１４１２を有し、バス線１４１５で接続される。
カード型メディアコンバータ１４０１と１４０２は自拠点側ローカルネットワークと外部伝送線のインターフェイスとなるスイッチにそれぞれが接続されるとともに、それぞれが信号を伝送しあう他拠点側のメディアコンバータ（図示せず）のそれぞれと接続される。
【０１０１】
本実施形態の集合型シャーシシステム１５００は、図１５に示すように、コンバータ部１５１７と伝送処理部１５１８を有するカード型メディアコンバータ（主経路）１５０１と、コンバータ部１５１９と伝送処理部１５２０を有するカード型メディアコンバータ（副経路）１５０２と、管理カード１５０３とから構成される。そして、カード型メディアコンバータ（主経路）１５０１と管理カード１４０３とがシリアル通信するため、集合型シャーシシステム１４００（集合型シャーシ）内にメディアコンバータバス接続部１４１１を有し、カード型メディアコンバータ（副経路）１４０２と管理カード１４０３とがシリアル通信するため、集合型シャーシシステム１４００内にメディアコンバータバス接続部１４１２を有し、メディアコンバータバス接続部１５１１とメディアコンバータバス接続部１５１２と管理カード１５０３内の管理カードバス接続部１５１５とがバス線１５１６を介して接続される。
カード型メディアコンバータ１５０１と１５０２は自拠点側ローカルネットワークと外部伝送線のインターフェイスとなるスイッチにそれぞれが接続されるとともに、それぞれが信号を伝送しあう他拠点側のメディアコンバータ（図示せず）のそれぞれと接続される。
＜実施形態５  構成の説明＞
【０１０２】
「バス線」１４１５（１４１６）は、図２１に示すように、集合型シャーシのシャーシ内シリアルバス通信経路を構成している。背面コネクタ２１００が、図２１に示すように、シャーシ内のシリアルバスに２０個のコネクタ部分が設けられている。図２１の例では、背面コネクタ２１００側で電気的にシリアルバスが接続されているように記載されているが、実際はプリント基板の裏側でシリアルバスが電気的に接続されている。そして、カード型の光メディアコンバータ２１０１やカード型の管理カード２１０２が背面コネクタ２１００のコネクタ部分に装着される。この装着された状態を図２２に示す。
図２２に示すように、光メディアコンバータ２２０１や管理カード２２０２のコネクタ部分（雄または雌）と背面コネクタ２２００のコネクタ部分（雌または雄）に差し込んで装着することにより、シリアルバス接続がなされる。
【０１０３】
「メディアコンバータバス接続部」１５１１は、カード型メディアコンバータ（主経路）１４０１（カード型メディアコンバータ（主経路）１５０１）に備えられ、集合型シャーシに装着されることでバス線に信号送受信可能に接続される。
「メディアコンバータバス接続部」１５１２は、カード型メディアコンバータ（副経路）１４０２（カード型メディアコンバータ（副経路）１５０２）に備えられ、集合型シャーシに装着されることでバス線１５１６に信号送受信可能に接続される。
「管理カードバス接続部」１５１５は、管理カード１６０３内に備えられ、集合型シャーシに装着されることでバス線１５１６に信号送受信可能に接続される。
＜実施形態５  効果＞
【０１０４】
このように、実施形態５によれば、実施形態１から実施形態３に加え、集合シャーシ内のシリアルバス通信路にバス線を用いて、管理カードによる経路切り替え制御を実現したので、システムが簡素化できる。
＜実施形態６＞  
＜実施形態６  概要＞
【０１０５】
実施形態６の通信システムは、実施形態１から実施形態５の集合型シャーシシステムを備えることを基本としつつ、自拠点側と他拠点側にはそれぞれ前記シャーシシステムに集合配置された複数のカード型メディアコンバータ（主経路用と副経路用）と信号のやり取りをするスイッチを備え、少なくとも主経路を構成するメディアコンバータ間及びメディアコンバータとスイッチ間の伝送線と、副経路を構成するメディアコンバータ間及びメディアコンバータとスイッチ間の伝送線と、からなり、前記シャーシシステム内に設けられた管理カードにより、主・副経路のメディアコンバータの監視を行い、外部のインターフェイススイッチ制御を用いないで障害検出結果に基づく主経路と副経路の切り替え制御を行うものである。
＜実施形態６  構成＞
【０１０６】
本実施形態の通信システム１６００は、図１６に示すように、自拠点側のスイッチ１６０３と、自拠点側の集合型シャーシシステム１６０１と、伝送線１６０４ａ、１６０４ｂ、１６０５ａ、１６０５ｂと、他拠点側の集合型シャーシシステム１６０２と、スイッチ１６０６とから構成される。
【０１０７】
自拠点側の集合型シャーシシステム１６０１は、図１６に示すように、コンバータ部１６１５と伝送処理部１６１６を有するカード型メディアコンバータ（主経路）１６１０と、コンバータ部１６１７と伝送処理部１６１８を有するカード型メディアコンバータ（副経路）１６１１と、管理カード１６１２とから構成され、管理カード１６１２は障害判断部１６１３と副経路メディアコンバータ稼働部１６１４を有する。カード型メディアコンバータ１６１０と１６１１はスイッチ１６０３にそれぞれ接続され、それぞれが信号を伝送しあう他拠点側のメディアコンバータ１６２０、１６２１と接続される。
【０１０８】
他拠点側の集合型シャーシシステム１６０２は、図１６に示すように、コンバータ部１６２５と伝送処理部１６２６を有するカード型メディアコンバータ（主経路）１６２０と、コンバータ部１６２７と伝送処理部１６２８を有するカード型メディアコンバータ（副経路）１６２１と、管理カード１６２２とから構成され、管理カード１６２２は障害判断部１６２３と副経路メディアコンバータ稼働部１６２４を有する。カード型メディアコンバータ１６２０と１６２１はスイッチ１６０６にそれぞれ接続され、それぞれが信号を伝送しあう自拠点側のメディアコンバータ１６１０、１６１１と接続される。
【０１０９】
各集合型シャーシシステム１６０１、１６０２は、実施形態１の図１の構成と同様であるので、ここでは説明を省略する。ハードウェア的構成については、実施形態１の図３と同様であるので、ここでは説明を省略する。
【０１１０】
各スイッチ１６０３、１６０６の一例を図２６に示す。スイッチ２６００は、図２６に示すように、カード型メディアコンバータから信号を取得する信号取得部と、成功した通信のスイッチングに基づいてアドレスとスイッチングを自動学習する自動学習部と、自動学習部での自動学習に基づくアドレスに応じたスイッチング制御部と、スイッチング制御部にて制御されるスイッチング部とスイッチング部からの信号を出力する信号出力部と、を有する。
ここで、Ｌ２スイッチは、切替え制御機能を持たないダムスイッチを利用できるようになり、システムの簡素化が図れる。もちろん、切替え制御機能を有するＬ２スイッチ、ＩＰルーティング機能を有するＬ３スイッチなどを利用することができ、システム構築の柔軟性を高めることができる。また、カード型メディアコンバータはリンクフォルトパススルー機能を追加する必要がなくなり、メディアコンバータのコストダウンにつながる。当然ながら、リンクフォルトパススルー機能を備えたメディアコンバータにおいては、リンクフォルトパススルー機能を無効にして本発明の冗長システムに適用できる。
【０１１１】
図１６の切替制御全体の動作については、図１９の説明と同様であるので、説明を省略する。
【０１１２】
自拠点側の集合型シャーシシステム１６０１は、図１６に示すように、コンバータ部１６１５と伝送処理部１６１６を有するカード型メディアコンバータ（主経路）１６１０と、コンバータ部１６１７と伝送処理部１６１８を有するカード型メディアコンバータ（副経路）１６１１と、管理カード１６１２とから構成され、管理カード１６１２は障害判断部１６１３と副経路メディアコンバータ稼働部１６１４を有する。カード型メディアコンバータ１６１０と１６１１はスイッチ１６０３にそれぞれ接続され、それぞれが信号を伝送しあう他拠点側のメディアコンバータ１６２０、１６２１と接続される。
【０１１３】
他拠点側の集合型シャーシシステム１６０２は、図１６に示すように、コンバータ部１６２５と伝送処理部１６２６を有するカード型メディアコンバータ（主経路）１６２０と、コンバータ部１６２７と伝送処理部１６２８を有するカード型メディアコンバータ（副経路）１６２１と、管理カード１６２２とから構成され、管理カード１６２２は障害判断部１６２３と副経路メディアコンバータ稼働部１６２４を有する。カード型メディアコンバータ１６２０と１６２１はスイッチ１６０６にそれぞれ接続され、それぞれが信号を伝送しあう自拠点側のメディアコンバータ１６１０、１６１１と接続される。
【０１１４】
各集合型シャーシシステム１６０１、１６０２は、実施形態１の図１の構成と同様であるので、ここでは説明を省略する。
＜実施形態６  効果＞
【０１１５】
このように、本実施形態によれば、外部のスイッチ制御を用いないで経路切り替え制御可能な集合型シャーシシステム用いた通信システムが実現できるので、システムの簡素化を図れるとともに、メンテナンスの工数削減にもつながる。
＜実施形態７＞  
＜実施形態７  概要＞
【０１１６】
実施形態７の通信システムは、実施形態６の通信システムを基本としつつ、同一のスイッチに接続されるメディアコンバータの伝送処理部は、相互に伝送元スイッチを区別せずに取得した信号を伝送先スイッチに伝送する共有手段を有するものである。
＜実施形態７  構成＞
【０１１７】
本実施形態７の通信システムは、基本的には図１６に示すような構成である。図２７に示すように、自拠点側の集合型シャーシシステム２７００の構成例を示す。他拠点側の集合型シャーシシステムは図示していないが、同様な構成である。
【０１１８】
自拠点側の集合型シャーシシステム２７００は、図２７に示すように、コンバータ部２７１２と伝送処理部２７１３を有するカード型メディアコンバータ（主経路）２７０１と、コンバータ部２７１４と伝送処理部２７１５を有するカード型メディアコンバータ（副経路）２７０２と、管理カード２７０３とから構成され、管理カード２７０３は障害判断部２７１０と副経路メディアコンバータ稼働部２７１１を有する。さらに、伝送処理部２７１３、２７１５は、それぞれに共有手段２７１６、２７１７を有する。
カード型メディアコンバータ２７０１と２７０２はスイッチ２７０４にそれぞれ接続され、それぞれが信号を伝送しあう他拠点側のメディアコンバータ（図示せず）と接続される。
＜実施形態７  構成の説明＞
＜実施形態７  伝送処理部  共有手段＞
【０１１９】
「共有手段」２７１６は、主経路のカード型メディアコンバータ２７０１の伝送処理部２７１６に備えられ、同一のスイッチに接続されるメディアコンバータの伝送処理部２７１３は、相互に伝送元スイッチを区別せずに取得した信号を伝送先スイッチに伝送する。すなわち、経路切替え機能を持たないダムＳＷを利用しても、管理カードによる障害検出結果に基づく主経路から副経路への切替え制御が実現できるので、外部のインターフェイススイッチの簡素化が図れる。
＜実施形態７  効果＞
【０１２０】
このように、実施形態７によれば、実施形態６を基本としつつ、外部のスイッチに、従来利用できなかったダムＳＷなども適用できるようになり、システムコストを低減できる。
＜実施形態８＞  
＜実施形態８  概要＞
【０１２１】
実施形態８の通信システムは、実施形態６又は実施形態７の通信システムを基本としつつ、イーサネット（登録商標）機器のスイッチと、これに接続されているカード型メディアコンバータとが、イーサネット（登録商標）で規定されるリンク確立方式にて通信路を確立するリンク確立部を有するものである。
＜実施形態８  構成＞
【０１２２】
本実施形態の通信システム１７００は、図１７に示すように、自拠点側のスイッチ１７０３と、自拠点側の集合型シャーシシステム１７０１と、伝送線１７０４ａ、１７０４ｂ、１７０５ａ、１７０５ｂと、他拠点側の集合型シャーシシステム１７０２と、スイッチ１７０６とから構成される。
【０１２３】
自拠点側の集合型シャーシシステム１７０１は、図１７に示すように、コンバータ部１７０７と伝送処理部１７０８とリンク確立部１７１５を有するカード型メディアコンバータ（主経路）１７１０と、コンバータ部１７１７と伝送処理部１７１８とリンク確立部１７１６を有するカード型メディアコンバータ（副経路）１７１１と、管理カード１７１２とから構成され、管理カード１７１２は障害判断部１７１３と副経路メディアコンバータ稼働部１７１４を有する。カード型メディアコンバータ１７１０と１７１１はスイッチ１７０３にそれぞれ接続され、それぞれが信号を伝送しあう他拠点側のメディアコンバータ１７２０、１７２１と接続される。スイッチ１７０３には、リンク確立部１７３１が設けられている。
【０１２４】
他拠点側の集合型シャーシシステム１７０２は、図１７に示すように、コンバータ部１７２５と伝送処理部１７２６とリンク確立部１７２５を有するカード型メディアコンバータ（主経路）１７２０と、コンバータ部１７２７と伝送処理部１７２８とリンク確立部１７２６を有するカード型メディアコンバータ（副経路）１７２１と、管理カード１７２２とから構成され、管理カード１７２２は障害判断部１７２３と副経路メディアコンバータ稼働部１７２４を有する。さらに、リンク確立部１７１５を有する。カード型メディアコンバータ１７２０と１７２１はスイッチ１７０６にそれぞれ接続され、それぞれが信号を伝送しあう自拠点側のメディアコンバータ１７１０、１７１１と接続される。スイッチ１７０６には、リンク確立部１７６０が設けられている。
【０１２５】
各集合型シャーシシステム１７０１、１７０２は、実施形態８の構成と同様であり、各機器にリンク確立部が設けられている点が異なるのみであるので、以下ではリンク確立部について説明する。各スイッチ１７０３、１７０６のその他の構成については、図２６と同様であるので、ここでは説明を省略する。
【０１２６】
図１７の切替制御全体の動作については、図１９の説明と同様であるので、説明を省略する。
＜実施形態８  構成の説明＞
【０１２７】
「スイッチ」１７０３、１７６０は、イーサネット（登録商標）機器であり、Ｌ２スイッチ、Ｌ３スイッチ、各種イーサネット（登録商標）機器が適用できる。
「リンク確立部」１７３１、１７１５、１７１６、１７２５、１７２６、１７６０は、スイッチとこれに接続されているカード型メディアコンバータとが、イーサネット（登録商標）で規定されるリンク確立方式にて通信路を確立する。イーサネット（登録商標）機器であるスイッチと、これに接続されているカード型メディアコンバータとは、イーサネット（登録商標）で規定されるリンク確立方式にて通信路を確立することにより、管理カードによる主経路と副経路の切り替え制御が行える。リンク確立は、例えば、各機器間でオートネゴシエーションを行うことで、実現できる。その他のリンク確立方式は、例えば１００ＢＡＳＥ−ＴＸのアイドルパターン、１０ＢＡＳＥ−Ｔのノーマルリンクパルス等が挙げられる。
【０１２８】
図１７の切替制御全体の動作については、図１９の説明と同様であるので、説明を省略する。
＜効果＞
【０１２９】
このように、本実施形態によれば、機器依存性が最小限で済み、ネットワーク設置効率上の利点があり、通信帯域をあまり消費しない経路切り替え制御可能な集合型シャーシシステムを提供することができる。
【符号の説明】
【０１３０】
０１００、０２００、０８００、１１００  集合型シャーシシステム
０１０１、０８０１、１１０１  カード型メディアコンバータ（主経路）
０１０２、０８０２、１１０２  カード型メディアコンバータ（副経路）
０１１２、０１１４、０８１３、０８１５、１１１４、１１１６  コンバータ部
０１１３、０１１５、０８１４、０８１６、１１１５、１１１７  伝送処理部
０１０３、０８０３、１１０３  管理カード
０１１０、０８１０、１１１０  障害判断部
０１１１、０８１１、１１１１  副経路メディアコンバータ稼働部
０８１２、１１１２  主経路メディアコンバータ稼働停止部
１１１３  スイッチ側コンバータ部稼働停止部
２３１３  主経路メディアコンバータ他拠点側コンバータ部稼働停止部
０２０１  集合型シャーシ
０２０２  スロット
０２０３  カード型光メディアコンバータ
０２０４  トレイ
０２０５  通信ケーブル
０３０１、０９０１、１２０１  ＣＰＵ
０３０２、０９０２、１２０２  不揮発性メモリ
０３０３、０９０３、１２０３  主メモリ
０３０４、０９０４、１２０４  インターフェイス
０３０５、０９０５、１２０５  ネットワークインターフェイス
０３０６、０９０６、１２０６  集合型シャーシのシリアルバスインターフェイス
０３０７、０９０７、１２０７  シリアルコンソールインターフェイス
０３０８、０９０８、１２０８  ＬＥＤインターフェイス
０３１０、０９１０、１２１０  システムバス
０４０１、１００１、１３０１  障害判断ステップ
０４０２、１００２、１３０２  副経路メディアコンバータ稼働ステップ
１００３  主経路メディアコンバータ稼働停止ステップ
１３０３  スイッチ側コンバータ部稼働停止ステップ
２５０３  主経路メディアコンバータ他拠点側コンバータ部稼働停止ステップ
０５００  カード型光メディアコンバータ
０５０１  光ポート
０５０２、０６０２  ＬＡＮポート
０５０３、０６０３  ＬＥＤ
０５０４、０６０５  物理層処理ユニット
０５０５  プロッセッサ
０５０９、０６１０  背面コネクタ
０５１０、０６１１  ＤＣ入力
０６００  管理カード
０６０１  コンソ−ルポート
０６０６  プロセッサ
０７００  集合型シャーシステム
０７０１〜０７０５・・・  カード型光メディアコンバータ
０７０６  管理カード
０７０７  管理カード（予備）
０７０８  電源供給ユニット
０７０９  電源供給ユニット
【図１】
2020167541.tif 000003
【図２】
2020167541.tif 000004
【図３】
2020167541.tif 000005
【図４】
2020167541.tif 000006
【図５】
2020167541.tif 000007
【図６】
2020167541.tif 000008
【図７】
2020167541.tif 000009
【図８】
2020167541.tif 000010
【図９】
2020167541.tif 000011
【図１０】
2020167541.tif 000012
【図１１】
2020167541.tif 000013
【図１２】
2020167541.tif 000014
【図１３】
2020167541.tif 000015
【図１４】
2020167541.tif 000016
【図１５】
2020167541.tif 000017
【図１６】
2020167541.tif 000018
【図１７】
2020167541.tif 000019
【図１８】
2020167541.tif 000020
【図１９】
2020167541.tif 000021
【図２０】
2020167541.tif 000022
【図２１】
2020167541.tif 000023
【図２２】
2020167541.tif 000024
【図２３】
2020167541.tif 000025
【図２４】
2020167541.tif 000026
【図２５】
2020167541.tif 000027
【図２６】
2020167541.tif 000028
【図２７】
2020167541.tif 000029